(57)【要約】  空気調和機の室内機は、筐体と、筐体の前面側に設けられる前面パネルと、前面パネルの左右方向に沿った回転軸を中心として前面パネルに対して回転自在となるように前面パネルの上部に取り付けられるとともに、筐体の上部に取り付けられる回転部材と、を備え、前面パネル又は回転部材の一方は、回転軸上に設けられる軸部を有しており、前面パネル又は回転部材の他方は、軸部の全周を囲んで軸部を回転自在に支持する軸受部を有している。
2017126016.tif 000002
【特許請求の範囲】
【請求項１】
筐体と、
前記筐体の前面側に設けられる前面パネルと、
前記前面パネルの左右方向に沿った回転軸を中心として前記前面パネルに対して回転自在となるように前記前面パネルの上部に取り付けられるとともに、前記筐体の上部に取り付けられる回転部材と、を備え、
前記前面パネル又は前記回転部材の一方は、前記回転軸上に設けられる軸部を有しており、
前記前面パネル又は前記回転部材の他方は、前記軸部の全周を囲んで前記軸部を回転自在に支持する軸受部を有している空気調和機の室内機。
【請求項２】
前記回転部材は第１係止部を有しており、
前記筐体は、
前記筐体の前面側に形成され前記回転部材を収納する収納凹部と、
前記収納凹部に収納された前記回転部材の前記第１係止部を係止する第２係止部と、
前記第１係止部と前記第２係止部との係止を外す工具が挿入される工具挿入穴と、を有している請求項１に記載の空気調和機の室内機。
【請求項３】
前記前面パネルは、前記軸部と、前記軸部を支持するアーム部と、を有しており、
前記軸部は、前記アーム部から前記回転軸上の一方向に向かって延びており、
前記回転部材は、前記軸受部と、前記軸受部よりも前記一方向とは逆方向側に設けられた軸抜け防止部と、を有しており、
前記軸抜け防止部は、前記回転軸に平行に見たとき、前記軸部の一部と重なるように設けられている請求項１又は請求項２に記載の空気調和機の室内機。
【発明の詳細な説明】
【技術分野】
【０００１】
本発明は、前面パネルを備えた空気調和機の室内機に関するものである。
【背景技術】
【０００２】
特許文献１には、空気調和機の室内機の本体に、前面パネルを開閉自在な状態で取り付ける取付機構が記載されている。この取付機構において前面パネルには、開閉の中心となるヒンジピンが設けられている。本体には、ヒンジピンを収容し得る凹部が形成されている。また本体には、凹部に収容されたヒンジピンを係止する係止位置とヒンジピンを解放する解放位置との間で移動自在なロック部材が設けられている。前面パネルには、当該前面パネルが本体に対して閉じられたとき、ロック部材に当接してロック部材を係止位置に移動させる当接部が設けられている。
【先行技術文献】
【特許文献】
【０００３】
【特許文献１】特開平１０−１１０９６５号公報
【発明の概要】
【発明が解決しようとする課題】
【０００４】
特許文献１に記載された取付機構では、前面パネルの本体への取付け、及び前面パネルの本体からの取外しをユーザーが容易に行うことができる。しかしながら、前面パネルの取付け及び取外しをユーザーが容易に行うことができてしまうと、ユーザーが前面パネルの取付け又は取外しを行う際に前面パネルが本体から落下してしまう場合がある。【０００５】
近年、前面パネルは、意匠性を高めるために、単純な樹脂成形の一枚パネルではなく、複数の樹脂製パネルが重ねられた構造や、金属製パネルと樹脂製パネルとが重ねられた構造を有している場合がある。このような構造を有する前面パネルは、樹脂成形の一枚パネルと比較して重量が重くなる。したがって、ユーザーが前面パネルの取付け又は取外しを行う際に前面パネルが本体から落下してしまうと、安全上の問題が生じるおそれがある。【０００６】
本発明は、上述のような課題を解決するためになされたものであり、ユーザーによって前面パネルが筐体から容易に取り外されることを防止できる空気調和機の室内機を提供することを目的とする。
【課題を解決するための手段】
【０００７】
本発明に係る空気調和機の室内機は、筐体と、前記筐体の前面側に設けられる前面パネルと、前記前面パネルの左右方向に沿った回転軸を中心として前記前面パネルに対して回転自在となるように前記前面パネルの上部に取り付けられるとともに、前記筐体の上部に取り付けられる回転部材と、を備え、前記前面パネル又は前記回転部材の一方は、前記回転軸上に設けられる軸部を有しており、前記前面パネル又は前記回転部材の他方は、前記軸部の全周を囲んで前記軸部を回転自在に支持する軸受部を有しているものである。
【発明の効果】
【０００８】
本発明によれば、前面パネルの軸部の全周が、筐体に取り付けられた回転部材の軸受部により囲まれているため、ユーザーによって前面パネルが筐体から容易に取り外されることを防止できる。
【図面の簡単な説明】
【０００９】
【図１】本発明の実施の形態１に係る空気調和機の室内機を正面側から見た外観斜視図である。
【図２】本発明の実施の形態１に係る空気調和機の室内機の正面図である。
【図３】図２のＹ−Ｙ断面を示す断面図である。
【図４】図２のＺ−Ｚ断面を示す断面図である。
【図５】本発明の実施の形態１に係る空気調和機の室内機の前面パネル２の斜視図である。
【図６】本発明の実施の形態１に係る空気調和機の室内機の前面パネル２及び意匠カバー３の斜視図である。
【図７】本発明の実施の形態１に係る空気調和機の室内機の前面パネル２及び意匠カバー３の斜視図である。
【図８】本発明の実施の形態１に係る空気調和機の室内機の前面パネル２を背面側から見た構成を示す斜視図である。
【図９】図８のＩＸ部を拡大して示す図である。
【図１０】本発明の実施の形態１に係る空気調和機の室内機における前面パネル２及び回転部材２０を背面側から見た構成を示す分解斜視図である。
【図１１】本発明の実施の形態１に係る空気調和機の室内機において回転部材２０を前面パネル２に取り付ける取付手順を示す斜視図である。
【図１２】本発明の実施の形態１に係る空気調和機の室内機において回転部材２０を前面パネル２に取り付ける取付手順を示す斜視図である。
【図１３】本発明の実施の形態１に係る空気調和機の室内機において回転部材２０が前面パネル２に取り付けられた状態を示す部分断面図である。
【図１４】本発明の実施の形態１に係る空気調和機の室内機における筐体１の前面側の右上部の構成を示す斜視図である。
【図１５】本発明の実施の形態１に係る空気調和機の室内機における筐体１の上部を右側から見た構成を示す模式的な側面図である。
【図１６】本発明の実施の形態１に係る空気調和機の室内機において前面パネル２を筐体１に取り付ける取付手順を示す断面図である。
【図１７】本発明の実施の形態１に係る空気調和機の室内機において前面パネル２を筐体１に取り付ける取付手順を示す断面図である。
【図１８】本発明の実施の形態１に係る空気調和機の室内機において前面パネル２を筐体１に取り付ける取付手順を示す断面図である。
【図１９】本発明の実施の形態１に係る空気調和機の室内機において前面パネル２を筐体１から取り外す手順を示す斜視図である。
【図２０】本発明の実施の形態１に係る空気調和機の室内機において前面パネル２を筐体１から取り外す手順を示す断面図である。
【発明を実施するための形態】
【００１０】
実施の形態１．
本発明の実施の形態１に係る空気調和機の室内機について説明する。図１は、本実施の形態に係る空気調和機の室内機を正面側から見た外観斜視図である。図２は、本実施の形態に係る空気調和機の室内機の正面図である。図３は、図２のＹ−Ｙ断面を示す断面図である。図４は、図２のＺ−Ｚ断面を示す断面図である。なお、図１〜図４を含む以下の図面では、各構成部材の寸法の関係や形状等が実際のものとは異なる場合がある。また、以下の説明において、理解を容易にするために方向を表す用語（例えば「上」、「下」、「右」、「左」など）を適宜用いるが、これは説明のためのものであって、これらの用語は本願発明を限定するものではない。また、本実施の形態における「上」、「下」、「右」、「左」は、原則として、室内機本体１００を正面側から見た状態でのものである。
【００１１】
以下、図１〜図４に基づいて、室内機の構成について説明する。
本実施の形態に係る室内機は、冷媒を循環させる冷凍サイクルを利用することで、室内などの空調対象域に空調空気を供給するものである。なお、本実施の形態では、室内機として、空調対象域の壁面に取り付けられる壁掛け型の室内機を例示している。
【００１２】
図１及び図２に示すように、室内機本体１００は、壁面に取り付けられる筐体１と、筐体１の前面側を開閉する前面パネル２と、を有している。筐体１及び前面パネル２は、例えばいずれも樹脂により形成されている。前面パネル２は、後述する回転部材２０を介して筐体１の前面側に取り付けられており、前面パネル２の左右方向に沿った回転軸を中心として筐体１に対し回転自在となっている。前面パネル２の前面側には、後述する凹部１１及び前面吸込口１２が形成されている。また、前面パネル２の前面側には、例えば樹脂製でパネル状の意匠カバー３が取り付けられている。以下、意匠カバー３が取り付けられた前面パネル２を「前面意匠パネル」という場合がある。前面意匠パネルは、いずれも樹脂製である前面パネル２及び意匠カバー３が重ねられた構造を有している。前面パネル２及び意匠カバー３の一方又は双方は、金属製であってもよい。なお、意匠カバー３は、上意匠カバー３ａと下意匠カバー３ｂとで構成されている。
【００１３】
筐体１の上部（本例では天面）には、室内空気を内部に吸い込む上部吸込口４が形成されている。筐体１の下部には、空調空気を外部に吹き出す吹出口５が形成されている。
【００１４】
図３及び図４に示すように、筐体１内には、上部吸込口４及び前面吸込口１２から吹出口５に向かう空気の流れを生じさせる送風ファン６と、送風ファン６を上方から覆うように配置され、冷媒と室内空気との熱交換を行うことで空調空気を作り出す熱交換器７と、が収納されている。そして、これらの構成要素により、室内機本体１００内には、上部吸込口４及び前面吸込口１２から熱交換器７と送風ファン６とを経て吹出口５に至る空気流路が形成されている。室内機本体１００内にはさらに、回路基板などを収容する電気品箱（図示せず）と、熱交換器７の下端部の下方に設けられ、熱交換器７の結露水を受けるドレンパン８と、が設けられている。
【００１５】
送風ファン６は、例えばクロスフローファンであり、熱交換器７は、例えばフィンチューブ型熱交換器であるが、それらに限定されない。また、本例の熱交換器７は、空気の流れにおいて送風ファン６の上流側に配置されているが、熱交換器７は送風ファン６の下流側に配置されていてもよい。
【００１６】
上部吸込口４及び前面吸込口１２と熱交換器７との間には、吸い込まれた室内空気に含まれる塵埃などを取り除くためのフィルター９が設けられている。吹出口５には、気流の吹出し方向を上下方向で調整する上下風向調整板１０が設けられている。
【００１７】
次に、室内機本体１００内における空気の流れについて簡単に説明する。
まず、室内空気は、送風ファン６によって室内機本体１００の上部吸込口４及び前面吸込口１２から室内機本体１００内に流れ込む。このとき、フィルター９によって空気に含まれている塵埃などが除去される。この室内空気は、熱交換器７を通過する際に、熱交換器７の内部を流通する冷媒との熱交換により加熱又は冷却されて空調空気となる。そして、空調空気は、上下風向調整板１０により調整された風向に沿って、吹出口５から室内機本体１００の外部、つまり空調対象域に吹き出されるようになっている。
【００１８】
図５は、本実施の形態に係る空気調和機の室内機の前面パネル２の斜視図である。図５では、前面パネル２の全体の斜視図と、前面パネル２の右端部を拡大した斜視図とを併せて示している。図６及び図７は、本実施の形態に係る空気調和機の室内機の前面パネル２及び意匠カバー３の斜視図である。図６は、意匠カバー３を前面パネル２に取り付ける前の状態を示しており、図７は、意匠カバー３を前面パネル２に取り付けた後の状態を示している。
【００１９】
図５に示すように、前面パネル２は、意匠性を向上させるため前面の全体においてフラットな面形状を有している。また、前面パネル２は矩形状を有している。室内機本体１００が壁面に取り付けられた状態において、前面パネル２の長手方向が左右方向、つまり水平方向となり、前面パネル２の短手方向が上下方向、つまり鉛直方向となる。また、正面視において前面パネル２の上下方向の中央に、左端部の内側から右端部の内側まで水平に延びる凹部１１が形成されている。そのため、前面パネル２は、図３に示すように、上下方向の中央で前面側から背面側に向かって凹んでいる。
【００２０】
ただし、図５に示すように、前面パネル２の前面の上下方向の中央において、凹部１１よりも左側、つまり、凹部１１の左端部から前面パネル２の左端部までの部分（以下、左側の凹側部２ａと称する）は、フラットであり、かつ、左側の凹側部２ａの上下のフラットな面と同一平面上にある。また、前面パネル２の前面の上下方向の中央において、凹部１１よりも右側、つまり、凹部１１の右端部から前面パネル２の右端部までの部分（以下、右側の凹側部２ａと称する）は、フラットであり、かつ、右側の凹側部２ａの上下のフラットな面と同一平面上にある。また、凹部１１は、前面パネル２の前面側が凹状となり、前面パネル２の背面側が凸状となるように凹んでいる。凹部１１のうちの下面には、前面吸込口１２が形成されている。なお、凹部１１が形成されている位置は、厳密に前面パネル２の上下方向の中央でなくてもよい。
【００２１】
図６及び図７に示すように、意匠カバー３は、例えば透明樹脂で形成されており、前面パネル２と同様に前面の全体においてフラットな面形状を有している。また、意匠カバー３は矩形状を有している。室内機本体１００が壁面に取り付けられた状態において、意匠カバー３の長手方向が左右方向、つまり水平方向となり、意匠カバー３の短手方向が上下方向、つまり鉛直方向となる。また、意匠カバー３は、４辺の縁部の一部又は全部に、背面側に突出した図示省略の周壁部が設けられている。意匠カバー３は、それら周壁部の一部又は全部に設けられた図示省略の爪により、前面パネル２に取り付けられる。なお、意匠カバー３を前面パネル２に取り付ける方法は爪に限定されず、例えば、接着剤などを用いて取り付けてもよい。
【００２２】
また、図６及び図７に示すように、上意匠カバー３ａは、前面パネル２の凹部１１の上側に、凹部１１の上端部から前面パネル２の上端部にかけて、前面パネル２の左端部から右端部までを覆うように取り付けられる。また、下意匠カバー３ｂは、前面パネル２の凹部１１の下側に、凹部１１の下端部から前面パネル２の下端部にかけて、前面パネル２の左端部から右端部までを覆うように取り付けられる。そして、このように意匠カバー３を前面パネル２の前面側に取り付けることで、室内機本体１００を正面から見たときの意匠性を向上させている。
【００２３】
また、意匠カバー３が前面パネル２の前面側に取り付けられた状態において、図３及び図４に示すように意匠カバー３は、前面パネル２の凹部１１、及び左右の凹側部２ａよりも、前面側に突出している。そのため、上意匠カバー３ａと下意匠カバー３ｂとの隙間に影が形成される。そして、その影は前面パネル２の左右端部まで延びて形成されるため、凹部１１が前面パネル２の左右端部まで延びて形成されていなくても、影によって前面パネル２を上下に分断させる視覚的効果が得られるため、シャープでスッキリとした印象を与え、意匠性を向上させることができる。
【００２４】
また、意匠カバー３は、前面パネル２に取り付けられた際、前面パネル２の左右端部からはみ出す大きさに設けられている。そのため、室内機本体１００の側面も上下に分断するような構成とした場合に、前面側と統一感のあるデザインとすることができる。
【００２５】
なお、前面パネル２の色と意匠カバー３の色とは、例えば、白色同士など同色でもよいが、例えば、前面パネル２を黒色、意匠カバー３を赤色とするなど、前面パネル２の色と意匠カバー３の色とを異ならせることで、前面パネル２の凹部１１の色を強調させることができるため、意匠性をさらに向上させることができる。
【００２６】
また、前面パネル２は、凹部１１が左右端部まで延びて形成されておらず、左側の凹側部２ａは、フラットであり、かつ、左側の凹側部２ａの上下のフラットな面と同一平面上である。さらに、右側の凹側部２ａは、フラットであり、かつ、右側の凹側部２ａの上下のフラットな面と同一平面上である。そのため、前面パネル２の強度を確保することができ、凹側部２ａに凹形状が形成されている場合に比べ変形及び破損を抑制できる。
【００２７】
また、上意匠カバー３ａと下意匠カバー３ｂとを同形状の共通部品とすることで、部品を成型する際の金型にかかるコスト及び部品管理コストを低減することができるため、製造コストを低減することができる。
【００２８】
また、意匠カバー３を透明部品とすることで、光が反射しやすくなるため、意匠性を向上させることができる。
【００２９】
また、透明部品でできた意匠カバー３を背面側から塗装することで、塗装面が傷ついたり剥がれたりするのを防ぐことができる。さらに、前面パネル２に取り付けた際に、意匠カバー３と前面パネル２との間に挟まれた埃、及び、取り付け形状を隠ぺいすることができるため、意匠性を向上させることができる。
【００３０】
なお、本実施の形態では、意匠カバー３は、１つの上意匠カバー３ａと１つの下意匠カバー３ｂとで構成されているとしたが、それに限定されず、上意匠カバー３ａを例えば２つなど複数に分割して構成してもよいし、下意匠カバー３ｂも同様に、例えば２つなど複数に分割して構成してもよい。
【００３１】
次に、前面パネル２を筐体１に取り付けるための取付構造及び取付手順について説明する。なお、本実施の形態における取付構造は、室内機本体１００において左右対称となるように設けられている。以下、正面視で室内機本体１００の右側に設けられた取付構造についてのみ説明する。室内機本体１００の左側に設けられた取付構造は、室内機本体１００の右側に設けられた取付構造と同様の構成、又は室内機本体１００の右側に設けられた取付構造と左右対称の構成を有している。
【００３２】
前面パネル２は、前面パネル２と筐体１との間に介在する回転部材２０を介して、筐体１に取り付けられる。回転部材２０は、前面パネル２に対しては回転自在に取り付けられ、筐体１に対しては回転しないように固定して取り付けられる。これにより、前面パネル２は、回転部材２０を介して、筐体１に対し回転自在に取り付けられる。
【００３３】
まず、回転部材２０を前面パネル２に取り付けるための取付構造及び取付手順について説明する。なお、回転部材２０が前面パネル２に取り付けられる前に、前面パネル２には意匠カバー３が取り付けられているものとする。
【００３４】
図８は、本実施の形態に係る空気調和機の室内機の前面パネル２を背面側から見た構成を示す斜視図である。図９は、図８のＩＸ部を拡大して示す図である。図８及び図９、並びに後述する図１０〜図１３では、前面パネル２が筐体１に対して回転する際に回転中心となる回転軸Ｒを一点鎖線で示している。図８及び図９に示すように、前面パネル２の背面２ｂのうち左上端部（正面視では右上端部）には、前面パネル２から背面側（図８では手前側）及び上側にＬ字状に突出したアーム部１３が形成されている。アーム部１３の先端部には、回転軸Ｒ上の一方向（例えば、前面パネル２の左右方向中央部に向かう方向）に延びた軸部１４が形成されている。軸部１４は、回転軸Ｒ上に設けられており、アーム部１３によって前面パネル２に対して支持されている。アーム部１３及び軸部１４は、前面パネル２の一部として前面パネル２と一体的に形成されている。
【００３５】
図１０は、本実施の形態に係る空気調和機の室内機における前面パネル２及び回転部材２０を背面側から見た構成を示す分解斜視図である。図１０に示すように、回転部材２０は、Ｌ字状に屈曲した本体部２１と、本体部２１の一端に設けられた筒状の軸受部２２と、本体部２１の他端に設けられたアーム保持部２３と、を有している。軸受部２２は、前面パネル２に設けられた軸部１４の全周を囲み、軸部１４を回転自在に支持するようになっている。本例の回転部材２０は、前面パネル２の軸部１４を支持する軸受部２２を有しているため、軸受部材として機能する。アーム保持部２３は、本体部２１から突出して形成された一対の保持片２３ａ、２３ｂを備えている。アーム保持部２３は、前面パネル２に設けられたアーム部１３を保持片２３ａ、２３ｂで両側から抱えて保持するようになっている。また、アーム保持部２３は、アーム部１３を保持した状態でアーム部１３の一部に係止されるようになっている。
【００３６】
また、回転部材２０は、後述する収納凹部３０に収納された状態で筐体１に係止されるように、上部係止部２４（図１２参照）及び下部係止部２５を有している。上部係止部２４は、本体部２１の上記一端側に、軸受部２２と軸方向に隣接して設けられている。下部係止部２５は、本体部２１の上記他端側に設けられている。下部係止部２５は、本体部２１から保持片２３ａ、２３ｂの突出方向とは逆方向に突出してＵ字状に曲がった形状を有する係止片２５ａと、係止片２５ａの先端に設けられた係止端面２５ｂと、を有している。係止片２５ａには、保持片２３ａ、２３ｂの突出方向とは逆方向を向いた凸面２５ａ１と、保持片２３ａ、２３ｂの突出方向を向いた凹面２５ａ２と、が形成されている。
【００３７】
図１１及び図１２は、本実施の形態に係る空気調和機の室内機において回転部材２０を前面パネル２に取り付ける取付手順を示す斜視図である。回転部材２０を前面パネル２に取り付ける際には、まず図１１に示すように、回転軸Ｒ方向でアーム保持部２３とアーム部１３とが干渉しないような相対角度で、前面パネル２の軸部１４を回転部材２０の軸受部２２に挿入する。これにより、回転部材２０は、前面パネル２に対し、回転軸Ｒを中心として回転自在に取り付けられる。
【００３８】
次に、図１１中の太矢印で示す回転方向に回転部材２０を回転させ、図１２に示すように、回転部材２０のアーム保持部２３に前面パネル２のアーム部１３を保持させる。アーム保持部２３がアーム部１３を保持した状態では、アーム保持部２３はアーム部１３の一部に係止される。アーム保持部２３が係止されることにより、回転部材２０の回転は、回転部材２０の自重のみによっては回転部材２０が回転しない程度の弱い力で規制される。これにより、回転部材２０は、前面パネル２に仮保持される。
【００３９】
回転部材２０が前面パネル２に仮保持された状態では、上部係止部２４と下部係止部２５の係止端面２５ｂとがいずれも前面側を向くように配置される。また、この状態では、下部係止部２５の係止片２５ａは、背面側及び下側に凸となる。さらに、この状態では、アーム部１３に設けられた突起部１３ａが、係止片２５ａの凹面２５ａ２の一部に当接するようになっている。
【００４０】
図１３は、本実施の形態に係る空気調和機の室内機において回転部材２０が前面パネル２に取り付けられた状態を示す部分断面図である。図１３は、回転部材２０及び前面パネル２を上方から見た上面図において、軸部１４、アーム部１３及び軸受部２２については回転軸Ｒに沿った断面を示したものである。
【００４１】
図１３に示すように、回転部材２０は、軸部１４から軸受部２２が抜けるのを防止する軸抜け防止部２６を有している。軸抜け防止部２６は、回転軸Ｒ方向において軸受部２２から離れた位置又は軸受部２２と隣接した位置に設けられている。回転部材２０が前面パネル２に取り付けられた状態では、軸抜け防止部２６は、回転軸Ｒ方向において軸受部２２よりもアーム部１３側（図中の左側）に設けられている。軸抜け防止部２６は、回転軸Ｒに平行に見たとき、軸部１４又はアーム部１３の一部と重なるように設けられている。本例の軸抜け防止部２６は、軸部１４に対しては重なり幅Ｗ１で重なっており、アーム部１３に対しては重なり幅Ｗ２で重なっている。回転部材２０の軸受部２２が前面パネル２の軸部１４に取り付けられる際には、軸抜け防止部２６は、軸部１４及びアーム部１３を乗り越えるようになっている。回転部材２０が前面パネル２に取り付けられた状態で、軸受部２２が軸部１４から抜ける方向に移動したときには、軸抜け防止部２６が軸部１４又はアーム部１３に当接し、それ以上の軸受部２２の移動が規制される。これにより、軸受部２２が軸部１４から抜けるのを防止できるため、前面パネル２から回転部材２０が脱落してしまうのを防ぐことができる。
【００４２】
次に、回転部材２０が取り付けられた前面パネル２を筐体１に取り付けるための取付構造及び取付手順について説明する。
【００４３】
図１４は、本実施の形態に係る空気調和機の室内機における筐体１の前面側の右上部の構成を示す斜視図である。図１５は、本実施の形態に係る空気調和機の室内機における筐体１の上部を右側から見た構成を示す模式的な側面図である。図１４及び図１５に示すように、筐体１の前面１ａの右上部には、回転部材２０を収納する収納凹部３０が前面１ａに対して凹状に形成されている。収納凹部３０の奥側には、回転部材２０の主に本体部２１に沿った形状を有し、回転部材２０を収納位置に案内する案内面としても機能する凹壁３５が形成されている。筐体１の前面１ａのうち収納凹部３０の下方には、回転部材２０を収納凹部３０から取り外す際に棒状の工具が挿入される工具挿入穴３３が形成されている。工具挿入穴３３は、筐体１の前面１ａに形成された開口端から、凹壁３５に沿って斜め上方に向かって延びている。なお、筐体１の前面１ａの左上部にも収納凹部３０及び工具挿入穴３３が形成されているが、左側の収納凹部３０及び工具挿入穴３３については図示及び説明を省略する。
【００４４】
収納凹部３０内には、回転部材２０の上部係止部２４を係止する係止部３１（図１５参照）と、下部係止部２５の係止端面２５ｂを係止する係止部３２と、が形成されている。凹壁３５のうち係止部３２と隣接した部分には、収納凹部３０と工具挿入穴３３との間を貫通する貫通孔３４が形成されている。貫通孔３４には、下部係止部２５の係止片２５ａが収納凹部３０側から嵌め込まれるようになっている。
【００４５】
図１６〜図１８は、本実施の形態に係る空気調和機の室内機において前面パネル２を筐体１に取り付ける取付手順を示す断面図である。本例では、筐体１は既に室内の壁面に取り付けられているものとする。前面パネル２を筐体１に取り付ける際には、まず図１６に示すように、前面パネル２を筐体１の前面に近づけ、前面パネル２に仮保持された回転部材２０を収納凹部３０内に挿入する。
【００４６】
次に、図１７に示すように、前面パネル２を斜め上方に持ち上げ、回転部材２０の上部係止部２４を収納凹部３０内の係止部３１に係止させる。
【００４７】
次に、係止部３１に係止された上部係止部２４を支点として、前面パネル２を図１７中の反時計回り方向に回転させ、回転部材２０を収納凹部３０内に押し込む。これにより、図１８に示すように、回転部材２０の係止端面２５ｂが収納凹部３０内の係止部３２に係止される。このとき、係止片２５ａは、アーム部１３に設けられた突起部１３ａによって押し込まれて貫通孔３４に嵌り込む。これにより、係止片２５ａの凸面２５ａ１は、工具挿入穴３３側に突き出た状態になる。以上の手順により、回転部材２０が筐体１の収納凹部３０に取り付けられるとともに、前面パネル２が回転部材２０を介して筐体１に回転自在に取り付けられる。
【００４８】
筐体１に取り付けられた前面パネル２は、軸部１４（すなわち、回転軸Ｒ）を中心として筐体１の前面側を容易に開閉可能となる。したがって、ユーザーは、前面パネル２を開けることによって、フィルター９の取付け及び取外しを容易に行うことができる。ただし、前面パネル２の軸部１４の全周が回転部材２０の軸受部２２によって囲まれており、かつ回転部材２０が筐体１に固定して取り付けられているため、ユーザーは、前面パネル２自体を筐体１から容易に取り外すことはできない。
【００４９】
次に、前面パネル２を筐体１から取り外す手順について説明する。
【００５０】
図１９は、本実施の形態に係る空気調和機の室内機において前面パネル２を筐体１から取り外す手順を示す斜視図である。図２０は、本実施の形態に係る空気調和機の室内機において前面パネル２を筐体１から取り外す手順を示す断面図である。前面パネル２を筐体１から取り外す際には、まず図１９に示すように、前面パネル２を開いて筐体１の前面１ａを露出させる。
【００５１】
次に、図２０に示すように、工具挿入穴３３に棒状の工具１１０（例えば、プラスドライバー等）を差し込み、工具１１０を係止片２５ａの凸面２５ａ１に接触させる。そして、工具１１０によって係止片２５ａを上方向に押し上げる。これにより、係止部３２による係止端面２５ｂの係止が外れ、図１７に示したような状態になる。その後、前面パネル２を斜め下方に引き下げることによって、係止部３１による上部係止部２４の係止が外れる。以上の手順により、回転部材２０が筐体１の収納凹部３０から取り外されるとともに、前面パネル２及び回転部材２０が筐体１から取り外される。すなわち、前面パネル２は、ユーザーによって筐体１から容易に取り外すことはできないが、メンテナンス作業者等によるメンテナンス時には、工具１１０を用いて筐体１から容易に取り外すことができるようになっている。
【００５２】
前面パネル２及び回転部材２０が一体となって筐体１から取り外される点は、本実施の形態に係る空気調和機の室内機の特徴の一つである。ここで、回転部材２０には軸抜け防止部２６が設けられているため、前面パネル２及び回転部材２０が筐体１から取り外された際に、回転部材２０が前面パネル２から脱落してしまうことを防止できる。
【００５３】
以上説明したように、本実施の形態に係る空気調和機の室内機は、筐体１と、筐体１の前面側に設けられる前面パネル２と、前面パネル２の左右方向に沿った回転軸Ｒを中心として前面パネル２に対して回転自在となるように前面パネル２の上部に取り付けられるとともに、筐体１の上部に取り付けられる回転部材２０と、を備え、前面パネル２又は回転部材２０の一方（本例では、前面パネル２）は、回転軸Ｒ上に設けられる軸部１４を有しており、前面パネル２又は回転部材２０の他方（本例では、回転部材２０）は、軸部１４の全周を囲んで軸部１４を回転自在に支持する軸受部２２を有しているものである。
【００５４】
この構成によれば、前面パネル２の軸部１４の全周が、筐体１に取り付けられた回転部材２０の軸受部２２により囲まれているため、ユーザーによって前面パネル２が筐体１から容易に取り外されることを防止できる。例えば、前面パネル２として、複数のパネルが重ねられた前面意匠パネル等が用いられる場合、前面パネル２の重量が重くなる。したがって、特に、複数のパネルが重ねられた構成を有する前面パネル２が用いられる場合、ユーザーによって前面パネル２が筐体１から容易に取り外されることを防止することにより、空気調和機の室内機の安全性を高めることができる。
【００５５】
また、本実施の形態に係る空気調和機の室内機において、回転部材２０は第１係止部（例えば、下部係止部２５）を有しており、筐体１は、筐体１の前面側に形成され回転部材２０を収納する収納凹部３０と、収納凹部３０に収納された回転部材２０の第１係止部を係止する第２係止部（例えば、係止部３２）と、第１係止部と第２係止部との係止を外す工具１１０が挿入される工具挿入穴３３と、を有していてもよい。
【００５６】
この構成によれば、メンテナンス作業者等による室内機のメンテナンス時には、工具１１０を用いて前面パネル２及び回転部材２０を筐体１から容易に取り外すことができる。したがって、空気調和機の室内機のメンテナンス性を高めることができる。
【００５７】
また、本実施の形態に係る空気調和機の室内機において、前面パネル２は、軸部１４と、軸部１４を支持するアーム部１３と、を有しており、軸部１４は、アーム部１３から回転軸Ｒ上の一方向に向かって延びており、回転部材２０は、軸受部２２と、軸受部２２よりも上記一方向とは逆方向側に設けられた軸抜け防止部２６と、を有しており、軸抜け防止部２６は、回転軸Ｒに平行に見たとき、軸部１４の一部と重なるように設けられていてもよい。
【００５８】
この構成によれば、軸受部２２が軸部１４から抜けるのを防止できるため、前面パネル２から回転部材２０が脱落してしまうのを防ぐことができる。
【００５９】
その他の実施の形態．
本発明は、上記実施の形態に限らず種々の変形が可能である。
例えば、上記実施の形態では、前面パネル２に軸部１４が設けられ、回転部材２０に軸受部２２が設けられた構成を例に挙げたが、前面パネル２に軸受部が設けられ、回転部材２０に軸部が設けられていてもよい。
【００６０】
また、上記実施の形態では、工具挿入穴３３が収納凹部３０の下方に設けられているが、工具挿入穴３３は収納凹部３０の側方又は上方に設けられていてもよい。
【符号の説明】
【００６１】
１  筐体、１ａ  前面、２  前面パネル、２ａ  凹側部、２ｂ  背面、３  意匠カバー、３ａ  上意匠カバー、３ｂ  下意匠カバー、４  上部吸込口、５  吹出口、６  送風ファン、７  熱交換器、８  ドレンパン、９  フィルター、１０  上下風向調整板、１１  凹部、１２  前面吸込口、１３  アーム部、１３ａ  突起部、１４  軸部、２０  回転部材、２１  本体部、２２  軸受部、２３  アーム保持部、２３ａ、２３ｂ  保持片、２４  上部係止部、２５  下部係止部、２５ａ  係止片、２５ａ１  凸面、２５ａ２  凹面、２５ｂ  係止端面、２６  軸抜け防止部、３０  収納凹部、３１、３２  係止部、３３  工具挿入穴、３４  貫通孔、３５  凹壁、１００  室内機本体、１１０  工具、Ｒ  回転軸。
【図１】
2017126016.tif 000003
【図２】
2017126016.tif 000004
【図３】
2017126016.tif 000005
【図４】
2017126016.tif 000006
【図５】
2017126016.tif 000007
【図６】
2017126016.tif 000008
【図７】
2017126016.tif 000009
【図８】
2017126016.tif 000010
【図９】
2017126016.tif 000011
【図１０】
2017126016.tif 000012
【図１１】
2017126016.tif 000013
【図１２】
2017126016.tif 000014
【図１３】
2017126016.tif 000015
【図１４】
2017126016.tif 000016
【図１５】
2017126016.tif 000017
【図１６】
2017126016.tif 000018
【図１７】
2017126016.tif 000019
【図１８】
2017126016.tif 000020
【図１９】
2017126016.tif 000021
【図２０】
2017126016.tif 000022
【手続補正書】
【提出日】平成30年4月24日(2018.4.24)
【手続補正２】
【補正対象書類名】明細書
【補正対象項目名】０００１
【補正方法】変更
【補正の内容】
【０００１】
本発明は、前面パネルを備えた空気調和機の室内機及びその組立方法に関するものである。
【手続補正３】
【補正対象書類名】明細書
【補正対象項目名】０００６
【補正方法】変更
【補正の内容】
【０００６】
本発明は、上述のような課題を解決するためになされたものであり、ユーザーによって前面パネルが筐体から容易に取り外されることを防止できる空気調和機の室内機及びその組立方法を提供することを目的とする。
【手続補正４】
【補正対象書類名】明細書
【補正対象項目名】０００７
【補正方法】変更
【補正の内容】
【０００７】
本発明に係る空気調和機の室内機は、筐体と、前記筐体の前面側に設けられる前面パネルと、前記前面パネルの左右方向に沿った回転軸を中心として前記前面パネルに対して回転自在となるように前記前面パネルの上部に取り付けられるとともに、前記筐体の上部に取り付けられる回転部材と、を備え、前記前面パネル又は前記回転部材の一方は、前記回転軸上に設けられる軸部を有しており、前記前面パネル又は前記回転部材の他方は、前記軸部の全周を囲んで前記軸部を回転自在に支持する軸受部を有しているものである。
本発明に係る空気調和機の室内機の組立方法は、筐体と、前記筐体の前面側に設けられる前面パネルと、前記前面パネルの左右方向に沿った回転軸を中心として前記前面パネルに対して回転自在となるように前記前面パネルの上部に取り付けられるとともに、前記筐体の上部に取り付けられる回転部材と、を備え、前記前面パネル又は前記回転部材の一方は、前記回転軸上に設けられる軸部を有しており、前記前面パネル又は前記回転部材の他方は、前記軸部の全周を囲んで前記軸部を回転自在に支持する軸受部を有している空気調和機の室内機を組み立てる方法であって、前記軸部を前記軸受部に挿入して前記回転部材を前記前面パネルに取り付け、その後、前記回転部材を前記筐体に取り付けるものである。
【手続補正５】
【補正対象書類名】特許請求の範囲
【補正対象項目名】全文
【補正方法】変更
【補正の内容】
【特許請求の範囲】
【請求項１】
筐体と、
前記筐体の前面側に設けられる前面パネルと、
前記前面パネルの左右方向に沿った回転軸を中心として前記前面パネルに対して回転自在となるように前記前面パネルの上部に取り付けられるとともに、前記筐体の上部に取り付けられる回転部材と、を備え、
前記前面パネル又は前記回転部材の一方は、前記回転軸上に設けられる軸部を有しており、
前記前面パネル又は前記回転部材の他方は、前記軸部の全周を囲んで前記軸部を回転自在に支持する軸受部を有している空気調和機の室内機。
【請求項２】
前記回転部材は第１係止部を有しており、
前記筐体は、
前記筐体の前面側に形成され前記回転部材を収納する収納凹部と、
前記収納凹部に収納された前記回転部材の前記第１係止部を係止する第２係止部と、
前記第１係止部と前記第２係止部との係止を外す工具が挿入される工具挿入穴と、を有している請求項１に記載の空気調和機の室内機。
【請求項３】
前記前面パネルは、前記軸部と、前記軸部を支持するアーム部と、を有しており、
前記軸部は、前記アーム部から前記回転軸上の一方向に向かって延びており、
前記回転部材は、前記軸受部と、前記軸受部よりも前記一方向とは逆方向側に設けられた軸抜け防止部と、を有しており、
前記軸抜け防止部は、前記回転軸に平行に見たとき、前記軸部の一部と重なるように設けられている請求項１又は請求項２に記載の空気調和機の室内機。
【請求項４】
筐体と、
前記筐体の前面側に設けられる前面パネルと、
前記前面パネルの左右方向に沿った回転軸を中心として前記前面パネルに対して回転自在となるように前記前面パネルの上部に取り付けられるとともに、前記筐体の上部に取り付けられる回転部材と、を備え、
前記前面パネル又は前記回転部材の一方は、前記回転軸上に設けられる軸部を有しており、
前記前面パネル又は前記回転部材の他方は、前記軸部の全周を囲んで前記軸部を回転自在に支持する軸受部を有している空気調和機の室内機を組み立てる方法であって、
前記軸部を前記軸受部に挿入して前記回転部材を前記前面パネルに取り付け、その後、前記回転部材を前記筐体に取り付ける空気調和機の室内機の組立方法。
【国際調査報告】
2017126016.tif 000023
2017126016.tif 000024
2017126016.tif 000025
2017126016.tif 000026